(57)【要約】【課題】複式画面表示装置の一方の視野角方向側の画面をその視聴者が入力手段を介して操作したときに、該入力手段が誤って他方の視野角方向側の画面に作用を及ぼすのを防止することができる画像形成装置を提供する。【解決手段】  画像形成装置１は、互いに異なる２つの視野角方向から視認することができる２つの画面を同時に表示する液晶表示パネル２と、液晶表示パネル２を制御する制御手段３と、制御手段３に制御情報を入力するための情報入力形態が互いに異なる複数の入力手段４とを備えている。制御手段３は、ある１つの入力手段４から該制御手段４に、一方の視野角方向に対応する画面についての制御情報が入力されたときに、該入力手段４を前記一方の視野角方向に対応する画面のための入力手段として採用する一方、前記入力手段４から他方の視野角方向に対応する画面のための制御情報の入力を禁止する。【選択図】図１
2010218348.tif 000002
【特許請求の範囲】
【請求項１】
それぞれ互いに異なる２つの視野角方向から視認することができる２つの画面を同時に表示する複式画面表示手段と、
前記複式画面表示手段を制御する制御手段と、
前記制御手段に制御情報を入力するための、情報入力形態が互いに異なる複数の入力手段とを備えている画像形成装置において、
前記制御手段は、ある１つの入力手段から該制御手段に、一方の視野角方向に対応する画面についての制御情報が入力されたときに、該入力手段を前記一方の視野角方向に対応する画面のための入力手段として採用する一方、前記入力手段から他方の視野角方向に対応する画面のための制御情報の入力を禁止することを特徴とする画像形成装置。
【請求項２】
請求項１に記載の画像形成装置において、
前記複数の入力手段は、タッチ式入力手段、音声式入力手段及びポインティング式入力手段のうちの少なくとも１つを含むことを特徴とする画像形成装置。
【請求項３】
請求項２に記載の画像形成装置において、
前記タッチ式入力手段が、回動可能な構造を有するプッシュボタン部を備えていて、
前記制御手段は、前記タッチ式入力手段を、前記プッシュボタン部の向きに応じて、前記２つの画面のうちのいずれか一方の視野角方向に対応する画面のための入力手段として採用することを特徴とする画像形成装置。
【発明の詳細な説明】
【技術分野】
【０００１】
本発明は、視野角方向ないしは可視方向が互いに異なる２つの画面を、１つの表示パネル上に同時に表示することができる複式画面表示装置を備えた画像形成装置に関するものである。
【背景技術】
【０００２】
第１の視野角方向から視認することができる１つの画面と、第２の視野角方向から視認することができるもう１つの画面とを、１つの表示パネル上に同時に表示することができる複式画面表示装置、すなわちデュアルビュー（登録商標）表示装置は従来知られている。また、特許文献１に開示されているように、かかる複式画面表示装置の表示パネルの前面にタッチパネルを設け、タッチパネルのタッチ操作により複式画面表示装置を制御するようにした複式画面表示装置も知られている。
【０００３】
そして、特許文献１に開示された複式画面表示装置では、一方の画面の視聴者のための画像やアイコンと、他方の画面の視聴者のための画像やアイコンとが重畳しないように複式画面表示装置を制御する非重畳制御を行うようにしている。さらには、表示パネルへのタッチ操作時の電流値と座標ベクトルとに基づいて、操作者がいずれの視野角方向の視聴者であるかを判断することにより、各視聴者のタッチ操作を可能にしている。
【先行技術文献】
【特許文献】
【０００４】
【特許文献１】特開２００５−２８４５９２号公報
【発明の概要】
【発明が解決しようとする課題】
【０００５】
しかしながら、例えば特許文献１に開示された従来の複式画面表示装置では、一方の視野角方向側の画面をその視聴者が入力手段を介して操作したときに、該入力手段が誤って他方の視野角方向側の画面に作用を及ぼすことがあるといった問題がある。具体的には、例えば一方の画面の視聴者がタッチパネルにより画面を操作しようとする場合、指ではなくペンや爪などといった先端が鋭いものでタッチ操作を行ったとき、あるいは指を正面から画面を押しつけてタッチ操作を行ったときは、その操作位置が他方の画面の操作ボタン位置であれば、前記他方の画面の操作ボタンが反応し、複式画面表示装置に誤動作が発生するといった問題がある。
【０００６】
本発明は、上記従来の問題を解決するためになされたものであって、複式画面表示装置の一方の視野角方向側の画面をその視聴者が入力手段を介して操作したときに、該入力手段が誤って他方の視野角方向側の画面に作用を及ぼすのを防止することができる、複式画面表示装置を備えた画像形成装置を提供することを解決すべき課題とする。とくには、タッチパネルを備えた複式画面表示装置の一方の視野角方向側の画面のタッチ操作を行ったときに、他方の視野角方向側の画面の操作ボタンが反応して複式画面表示装置に誤動作が発生するのを防止することができる、複式画面表示装置を備えた画像形成装置を提供することを解決すべき課題とする。
【課題を解決するための手段】
【０００７】
上記課題を解決するためになされた本発明に係る画像形成装置は、それぞれ互いに異なる２つの視野角方向ないしは可視方向から視認することができる２つの画面を同時に表示する複式画面表示手段と、複式画面表示手段を制御する制御手段と、制御手段に制御情報を入力するための、情報入力形態が互いに異なる複数の入力手段とを備えている。さらに、この画像形成装置において、制御手段は、最初にある１つの入力手段（以下「先行入力手段」という。）から制御手段に、一方の視野角方向に対応する画面についての制御情報が入力されたときに、先行入力手段を前記一方の視野角方向に対応する画面のための入力手段として採用する一方、先行入力手段から他方の視野角方向に対応する画面のための制御情報の入力を禁止するようになっている。
【０００８】
本発明に係る画像形成装置においては、入力手段は、指やペンなどにより情報を入力するタッチ式入力手段、マイクロフォンなどにより情報を入力する音声式入力手段及びマウスやキーボードなどにより情報を入力するポインティング式入力手段のうちの少なくとも１つを含んでいるのが好ましい。この場合、タッチ式入力手段が回動可能な構造を有するプッシュボタン部を備えていて、制御手段が、タッチ式入力手段を、プッシュボタン部の向きに応じて、前記２つの画面のうちのいずれか一方の視野角方向に対応する画面のための入力手段として採用するようになっているのがさらに好ましい。
【発明の効果】
【０００９】
本発明に係る画像形成装置は、タッチ式入力手段、音声式入力手段及びポインティング式入力手段などの入力手段を切替える入力切替手段を有し、２つの画面で同方式の入力手段による操作を禁止するようにしている。すなわち、視野角方向が互いに異なる２つの画面を同時に表示する機能を備えた単一の複式画面表示手段において、２つの画面での入力手段が重複しないようにしている。したがって、複数のユーザーが、それぞれの画面を干渉しあうことなく同時に操作することができる。よって、複式画面表示装置の一方の視野角方向側の画面をその視聴者が入力手段を介して操作したときに、該入力手段が誤って他方の視野角方向側の画面に作用を及ぼすのを有効に防止することができる。とくに、複式画面表示装置の一方の視野角方向に対応する画面のタッチ操作を行ったときに、他方の視野角方向に対応する画面の操作ボタンが反応して複式画面表示装置に誤動作が発生するのを有効に防止することができる。
【図面の簡単な説明】
【００１０】
【図１】本発明に係る画像形成装置の内部構成を示すブロック図である。
【図２】複式画面表示型の液晶表示パネルにおいて、視野Ａ側及び視野Ｂ側で視認することができる画像を示す模式図である。
【図３】（ａ）〜（ｃ）は、それぞれ、タッチ式入力手段の有効画面の確定方法を示す模式図である。
【図４】ポインティング式入力手段の有効画面の確定方法を示す模式図である。
【図５】（ａ）、（ｂ）は、音声式入力手段の有効画面の確定方法を示す模式図である。
【図６】（ａ）、（ｂ）は、入力手段の有効画面の表示方法を示す模式図でさる。
【図７】図１に示す画像形成装置における入力手段の切替制御の制御手法を示すフローチャートの一部である。
【図８】図１に示す画像形成装置における入力手段の切替制御の制御手法を示すフローチャートの一部である。
【図９】図１に示す画像形成装置における入力手段の切替制御の制御手法を示すフローチャートの一部である。
【図１０】図１に示す画像形成装置における入力手段の切替制御の制御手法を示すフローチャートの一部である。
【図１１】図１に示す画像形成装置における入力手段の切替制御の制御手法を示すフローチャートの一部である。
【図１２】図１に示す画像形成装置における入力手段の切替制御の制御手法を示すフローチャートの一部である。
【発明を実施するための形態】
【００１１】
以下、添付の図面を参照しつつ、本発明の実施の形態を具体的に説明する。
図１に示すように、本発明に係る画像形成装置１は、液晶表示パネル２（複式画面表示手段）と、液晶表示パネル２を制御する制御手段３と、制御手段３に各種情報を入力するための入力手段４とを備えている。
【００１２】
液晶表示パネル２は、視野角方向ないしは可視方向が互いに異なる２つの画面を同時に表示する複式画面表示技術（デュアルビューディスプレイ技術）を用いた複式画面表示装置、すなわちデュアルビュー（登録商標）表示装置である。制御手段３は、ＣＰＵ５（中央制御ユニット）と、第１液晶表示制御部６と、第２液晶表示制御部７とを備えている。ここで、ＣＰＵ５は、作成された画像データを液晶表示パネル２に表示させるための制御、各種演算あるいは各種情報処理を行うコンピュータである。第１、第２液晶表示制御部６、７は、それぞれ、ＣＰＵ５の制御指令により液晶表示パネル２の２つの画面の制御に必要な表示タイミング信号を生成する。
【００１３】
入力手段４には、タッチ式入力手段としてタッチパネル８とプッシュボタン部９と可動スイッチ１０とが設けられている。ここで、タッチパネル８は、液晶表示パネル２上の表示を阻害しない透明材料で形成され、液晶表示パネル２の前面に配置されている。また、プッシュボタン部９は、プリント動作を開始するためのスタートボタン、プリント動作を終了させるためのストップボタン、部数の入力などを行うテンキーボタン等の種々のプッシュボタンを備えている。これらのタッチパネル８、プッシュボタン部９及び可動スイッチ１０は、それぞれ、入力手段４の切替えを制御するためのタッチ式識別信号をＣＰＵ５に送信する。
【００１４】
また、入力手段４には、ポインティング式入力手段としてマウス１１とキーボード１２とが設けられている。これらのマウス１１及びキーボード１２は、それぞれ、入力手段４の切替えを制御するためのポインティング式識別信号をＣＰＵ５に送信する。
【００１５】
さらに、入力手段４には、音声式入力手段として第１マイクロフォン１３と第２マイクロフォン１４とが設けられている。第１マイクロフォン１３及び第２マイクロフォン１４は、それぞれ、入力手段４の切替えを制御するための第１音声式識別信号及び第２音声式識別信号をＣＰＵ５に送信する。なお、第１、第２音声式識別信号は、音声入力の強弱や伝達時間による入力方向を判断することも可能な信号である。
【００１６】
この画像形成装置１においては、ＣＰＵ５は、各種入力手段４（８〜１４）により、液晶表示パネル２上に表示する画像のデータを操作する画像操作機能及び液晶表示パネル２上に各画面用の画像データを作成する画像作成機能を有している。そして、画像形成装置１においては、ＣＰＵ５は、最初に、ある１つの入力手段４（８〜１４）から該ＣＰＵ５に、視野角方向ないしは可視方向が互いに異なる２つの画面中の一方の画面についての情報が入力されたときに、該入力手段４（８〜１４）を前記一方の画面の入力手段として採用する一方、前記入力手段４（８〜１４）から他方の画面への情報の入力を禁止する。
【００１７】
図２は、液晶表示パネル２において複式画面表示すなわちデュアルビュー（登録商標）表示が行われているときにおいて、液晶表示パネル２に表示されるすべての画像１５と、視野Ａ側からみえる画面の画像１６と、視野Ｂ側からみえる画面の画像１７とを示している。なお、視野Ａ側は液晶表示パネル２に向かって中央より左側に位置する視野角方向側であり、視野Ｂ側は液晶表示パネル２に向かって中央より右側に位置する視野角方向側である。
【００１８】
図２に示すように、画像１５は、液晶表示パネル２の隣り合う画素が視野Ａ側の画像及び視野Ｂ側の画像に応じて第１、第２液晶表示制御部６、７によって駆動され、１つの画像として表示されているときの画像である。そして、視野Ａ側からは、画像１６として、視野Ａ用の背景画像と、視野Ａ用のアイコンである画面の右上及び左下に配置されたアイコンＡとを視認することができる。他方、視野Ｂ側からは、画像１７として、視野Ｂ用の背景画像と、視野Ｂ用のアイコンである画面の左上及び右下に配置されたアイコンＢとを視認することができる。
【００１９】
そして、複式画面表示を行う液晶表示パネル２を備えた画像形成装置１においては、視野Ａ側の視聴者が入力手段４によりその画面を操作するための情報を入力する一方、視野Ｂ側の視聴者も入力手段４によりその画面を操作するための情報を入力する。すなわち、各視野Ａ、Ｂ側の視聴者は共通の入力手段４を用いてそれぞれの画面を操作する。したがって、例えば視野Ａ側の視聴者がその画面を操作するときには、入力手段４の動作状態を、視野Ａ側の画面についての操作が有効となり、視野Ｂ側の画面についての操作が無効となるように確定する必要がある。なお、以下では、入力手段４による操作が有効な方の画面を「有効画面」という。
【００２０】
図３（ａ）は、タッチパネル８、プッシュボタン部９及び可動スイッチ１０を有するタッチ式入力手段による有効画面の確定手法の具体例を示している。図３（ａ）に示す例では、正面からみて略長方形の形状を有するプッシュボタン部９は、その中心部のまわりに時計回り方向及び反時計回り方向に、所定の角度（例えば、５〜１０°）まで回動することができるようになっている。すなわち、プッシュボタン部９は、図３（ａ）に示すような左側がタッチパネル８から離間するように傾斜した状態及び右側がタッチパネル８から離間するように傾斜した状態に変位することができる。
【００２１】
そして、図３（ａ）にその状態を示すような、プッシュボタン部９が反時計回り方向に最大限に回動して傾斜した状態では、可動スイッチ１０により、有効画面は視野Ａ側からみえる画面に確定される。すなわち、プッシュボタン部９は、視野Ａ側の画面に係る操作を行うことはできるが、視野Ｂ側の画面に係る操作を行うことはできない状態となる。逆に、プッシュボタン部９が時計回り方向に最大限に回動して傾斜した状態では、可動スイッチ１０により、有効画面は視野Ｂ側からみえる画面に確定され、プッシュボタン部９は、視野Ｂ側の画面に係る操作を行うことはできるが、視野Ａ側の画面に係る操作を行うことはできない状態となる。したがって、プッシュボタン部９を回動させてその傾きを変えることにより、有効画面を自在に設定し、ないしは切替えることができる。
【００２２】
図３（ｂ）は、タッチパネル８及びプッシュボタン部９を有するタッチ式入力手段による有効画面の確定手法の具体例を示している。なお、図３（ｂ）に示す例では、液晶表示パネル２ないしはタッチパネル８とプッシュボタン部９とは一体形成され、可動スイッチ１０は設けられていない。この例では、プッシュボタン部９に、有効画面を切り替えるための第１切替ボタン２０Ａと第２切替ボタン２０Ｂが設けられている。
【００２３】
図３（ｂ）に示す例では、第１切替ボタン２０Ａを押せば、プッシュボタン部９は、視野Ａ側の画面に係る操作を行うことはできるが、視野Ｂ側の画面に係る操作を行うことはできない状態となる。逆に、第２切替ボタン２０Ｂを押せば、プッシュボタン部９は、視野Ｂ側の画面に係る操作を行うことはできるが、視野Ａ側の画面に係る操作を行うことはできない状態となる。したがって、第１、第２切替ボタン２０Ａ、２０Ｂのいずれかを押すことにより、有効画面を自在に設定し、ないしは切替えることができる。
【００２４】
図３（ｃ）は、タッチパネル８及びプッシュボタン部９を有するタッチ式入力手段による有効画面の確定手法のもう１つの具体例を示している。なお、図３（ｃ）に示す例では、液晶表示パネル２ないしはタッチパネル８とプッシュボタン部９とは一体形成され、可動スイッチ１０は設けられていない。この例では、液晶表示パネル２上に、両視野Ａ、Ｂから視認可能な切替えアイコン２１を表示させている。そして、この切替えアイコン２１と対応する位置においてタッチパネル８に操作ボタンを設け、切替えアイコン２１に対応する操作ボタンを押すことにより、有効画面を確定させるようにしている。
【００２５】
図３（ｃ）に示す例では、切替えアイコン２１の上半部を押せば、プッシュボタン部９は、視野Ａ側の画面に係る操作を行うことはできるが、視野Ｂ側の画面に係る操作を行うことはできない状態となる。逆に、切替えアイコン２１の下半部を押せば、プッシュボタン部９は、視野Ｂ側の画面に係る操作を行うことはできるが、視野Ａ側の画面に係る操作を行うことはできない状態となる。したがって、切替えアイコン２１の上半部又は下半部のいずれかを押すことにより、有効画面を自在に設定し、ないしは切替えることができる。
【００２６】
図４は、マウス１１及びキーボード１２を有するポインティング式入力手段による有効画面の確定手法の具体例を示している。なお、図４に示す例では、液晶表示パネル２ないしはタッチパネル８とプッシュボタン部９とは一体形成され、可動スイッチ１０は設けられていない。この例では、液晶表示パネル２上に、両視野Ａ、Ｂから視認可能な切替えアイコン２２を表示させている。そして、マウス１１で切替えアイコン２２の所定の部分をクリックすることにより、有効画面を確定させるようにしている。
【００２７】
図４に示す例では、切替えアイコン２２の上半部をマウス１１でクリックすれば、プッシュボタン部９は、視野Ａ側の画面に係る操作を行うことはできるが、視野Ｂ側の画面に係る操作を行うことはできない状態となる。逆に、切替えアイコン２２の下半部をマウス１１でクリックすれば、プッシュボタン部９は、視野Ｂ側の画面に係る操作を行うことはできるが、視野Ａ側の画面に係る操作を行うことはできない状態となる。したがって、切替えアイコン２１の上半部又は下半部のいずれかマウスでクリックすることにより、有効画面を自在に設定し、ないしは切替えることができる。
【００２８】
なお、切替えアイコン２２でキーボード１２中の特定のキー（例えばファンクションキー）を指定し、このキーを押すことにより有効画面を確定させるようにしてもよい。例えば、切替えアイコン２２の上半部に第１画面を有効画面に設定する第１のキーを表示する一方、切替えアイコン２２の下半部に第２画面を有効画面に設定する第２のキーを表示し、第１のキー及び第２のキーのいずれかを押すことにより、有効画面を自在に設定し、ないしは切替えることができるようにしてもよい。
【００２９】
図５（ａ）は、第１マイクロフォン１３を有する音声式入力手段による有効画面の確定手法の具体例を示している。なお、図５（ａ）に示す例では、液晶表示パネル２ないしはタッチパネル８とプッシュボタン部９とは一体形成され、可動スイッチ１０及び第２マイクロフォン１４は設けられていない。この例では、視野Ａ側又は視野Ｂ側の視聴者ないしはユーザーが発声した言葉から特有のキーワードを判別して、有効画面を確定させるようにしている。
【００３０】
例えば、視聴者の発声した言葉の中に「左」という語が含まれていれば、液晶表示パネル２の中央より左側に位置する視野Ａ側の画面を有効画面とする一方、「右」という語が含まれていれば、液晶表示パネル２の中央より右側に位置する視野Ｂ側の画面を有効画面とするようにしてもよい。なお、図５（ａ）に示す例では、右側に位置する視野Ｂ側の視聴者が「右」と発声した結果、有効画面は視野Ｂ側の画面に確定している。かくして、図５（ａ）に示す例では、視聴者が「左」又は「右」と発声することにより、有効画面を自在に設定し、ないしは切替えることができる。
【００３１】
図５（ｂ）は、第１マイクロフォン１３及び第２マイクロフォン１４を有する音声式入力手段による有効画面の確定手法の具体例を示している。なお、図５（ｂ）に示す例では、液晶表示パネル２ないしはタッチパネル８とプッシュボタン部９とは一体形成され、可動スイッチ１０は設けられていない。この例では、正面からみて画像形成装置１ないしは液晶表示パネル２の左端部近傍すなわち視野Ａ側に第１マイクロフォン１３が配置される一方、右端部近傍すなわち視野Ｂ側に第２マイクロフォン１４が配置されている。
【００３２】
そして、視野Ａ側又は視野Ｂ側のいずれかの視聴者が何らかの音声を発したときに、第１マイクロフォン１３によって検出される音声と第２マイクロフォン１４によって検出される音声とを比較することにより、視聴者が視野Ａ側であるか視野Ｂ側であるかを判別して、有効画面を確定させるようにしている。
【００３３】
具体的には、視野Ａ側又は視野Ｂ側のいずれかの視聴者が何らかの音声（図５（ｂ）に示す例では「スタート」）を発したときに、第１、第２マイクロフォン１３、１４によって検出された各音声の強弱を比較し、音声が強い方の画面を有効画面に確定するようにしている。なお、音声の到達時間を比較して、到達時間の早い方の画面を有効画面に確定するようにしてもよい。また、音声の強弱及び音声の到達時間の両方に基づいて有効画面を確定するようにしてもよい。
【００３４】
前記のように、タッチ式入力手段、ポインティング式入力手段又は音声式入力手段により有効画面を確定する場合、視聴者が、有効画面が視野Ａ側の画面又は視野Ｂ側の画面のいずれに確定されているかを確認することができるのが好ましい。そこで、この画像形成装置１では、確定された有効画面を、視野Ａ側及び視野Ｂ側の両方で確認することができるようにしている。
【００３５】
図６（ａ）に示すように、この画像形成装置１では、ポインティング式入力手段、例えばマウス１１により有効画面が確定されたときには、確定された有効画面及びポインティング式入力手段により確定されたことを、視野Ａ側の画面及び視野Ｂ側の画面の両方で視認することができるアイコンを液晶表示パネル２に表示するようにしている。なお、図６（ａ）に示す例では、ポインティング式入力手段により左側に位置する視野Ａ側の画面が有効画面となっている状態を示している。
【００３６】
また、図６（ｂ）に示すように、音声式入力手段であるマイクロフォン１３、１４により有効画面が確定されたときには、確定された有効画面及び音声式入力手段により確定されたことを、視野Ａ側及び視野Ｂ側の両方から視認可能なプッシュボタン部９に表示するようにしている。なお、図６（ｂ）に示す例では、音声式入力手段により右側に位置する視野Ｂ側の画面が有効画面となっている状態を示している。
【００３７】
ところで、複式画面表示を行う液晶表示パネル２を備えた画像形成装置１においては、視野Ａ側の視聴者が入力手段４によりその画面を操作するための情報を入力する一方、視野Ｂ側の視聴者も入力手段４によりその画面を操作するための情報を入力する。すなわち、両視野側の視聴者は共通の入力手段４を用いてそれぞれの画面を操作する。このため、従来のこの種の画像形成装置では、一方の視野側の視聴者、例えば視野Ａ側の視聴者がその画面を操作するためにタッチパネル８により入力操作を行ったときに、視野Ｂ側の画面用の操作ボタンが反応して視野Ｂ側の画面に誤動作が発生し、視野Ｂ側の視聴者の視聴を妨害するといった不具合が生じるおそれがある。
【００３８】
そこで、本発明に係る画像形成装置１では、制御手段３ないしはＣＰＵ５により入力手段４を制御してこのような不具合が発生するのを防止するようにしている。以下、図７〜図１２に示すフローチャートに従って、制御手段３ないしはＣＰＵ５により入力手段４を制御して上記不具合が発生するのを防止するための制御（以下「入力制御」という。）の制御手法を説明する。
【００３９】
図７〜図１２に示すように、この入力制御においては、最初にいずれかの入力手段４を操作したユーザー（以下「第１ユーザー」という。）によって入力手段４に入力され、この後ＣＰＵ５に入力された入力情報すなわち識別信号を読み込む（ステップＳ１）。続いて、第１ユーザーの入力情報すなわち識別信号に基づいて、第１ユーザーが視野Ａ側に位置しているか否かを判定する（ステップＳ２）。すなわち、視野Ａ側を第１画面とするのか、それとも視野Ｂ側を第１画面とするのかを判定する。
【００４０】
ステップＳ２で、第１ユーザーが視野Ａ側に位置していると判定した場合は（ＹＥＳ）、制御手段３ないしはＣＰＵ５に入力された識別信号が、タッチ式識別信号であるか、音声式識別信号であるか、それともポインティング式識別信号であるかを判定する（ステップＳ３）。ここで、識別信号がタッチ式識別信号であると判定した場合は、視野Ａ側からみえる画面を第１画面に確定し、視野Ｂ側からみえる画面を第２画面に確定する（ステップＳ４）。さらに、ステップＳ４では、視野Ａ側の第１画面のための入力手段をタッチ式入力手段に確定する一方、視野Ｂ側の第２画面の入力手段としてタッチ式入力手段を採用ないしは設定することを禁止する。この後、後記のステップＳ１１〜Ｓ１６を実行する。
【００４１】
ステップＳ３で、識別信号が音声式識別信号であると判定した場合は、視野Ａ側からみえる画面を第１画面に確定し、視野Ｂ側からみえる画面を第２画面に確定する（ステップＳ５）。さらに、ステップＳ５では、視野Ａ側の第１画面のための入力手段を音声式入力手段に確定する一方、視野Ｂ側の第２画面の入力手段として音声式入力手段を採用ないしは設定することを禁止する。この後、後記のステップＳ１７〜Ｓ２２を実行する。
【００４２】
ステップＳ３で、識別信号がポインティング式識別信号であると判定した場合は、視野Ａ側からみえる画面を第１画面に確定し、視野Ｂ側からみえる画面を第２画面に確定する（ステップＳ６）。さらに、ステップＳ６では、視野Ａ側の第１画面のための入力手段をポインティング式入力手段に確定する一方、視野Ｂ側の第２画面の入力手段としてポインティング式入力手段を採用ないしは設定することを禁止する。この後、後記のステップＳ２３〜Ｓ２８を実行する。なお、ステップＳ４、Ｓ５又はＳ６では、図６（ａ）、（ｂ）に示すように、第１画面の入力手段を表示してユーザーに知らせるようにしてもよい。
【００４３】
前記のステップＳ２で、第１ユーザーが視野Ａ側に位置していないと判定した場合（ＮＯ）、すなわち視野Ｂ側に位置していると判定した場合は、制御手段３ないしはＣＰＵ５に入力された識別信号が、タッチ式識別信号であるか、音声式識別信号であるか、それともポインティング式識別信号であるかを判定する（ステップＳ７）。ここで、識別信号がタッチ式識別信号であると判定した場合は、視野Ｂ側からみえる画面を第１画面に確定し、視野Ａ側からみえる画面を第２画面に確定する（ステップＳ８）。さらに、ステップＳ８では、視野Ｂ側の第１画面のための入力手段をタッチ式入力手段に確定する一方、視野Ａ側の第２画面の入力手段としてタッチ式入力手段を採用ないしは設定することを禁止する。この後、後記のステップＳ１１〜Ｓ１６を実行する。
【００４４】
ステップＳ７で、識別信号が音声式識別信号であると判定した場合は、視野Ｂ側からみえる画面を第１画面に確定し、視野Ａ側からみえる画面を第２画面に確定する（ステップＳ９）。さらに、ステップＳ９では、視野Ｂ側の第１画面のための入力手段を音声式入力手段に確定する一方、視野Ａ側の第２画面の入力手段として音声式入力手段を採用ないしは設定することを禁止する。この後、後記のステップＳ１７〜Ｓ２２を実行する。
【００４５】
ステップＳ７で、識別信号がポインティング式識別信号であると判定した場合は、視野Ｂ側からみえる画面を第１画面に確定し、視野Ａ側からみえる画面を第２画面に確定する（ステップＳ１０）。さらに、ステップＳ１０では、視野Ｂ側の第１画面のための入力手段をポインティング式入力手段に確定する一方、視野Ａ側の第２画面の入力手段としてポインティング式入力手段を採用ないしは設定することを禁止する。この後、後記のステップＳ２３〜Ｓ２８を実行する。なお、ステップＳ８、Ｓ９又はＳ１０では、図６（ａ）、（ｂ）に示すように、第１画面の入力手段を表示してユーザーに知らせるようにしてもよい。
【００４６】
ステップＳ４又はＳ８で、第１画面の入力手段をタッチ式入力手段に確定する一方、第２画面の入力手段としてタッチ式入力手段を採用ないしは設定することを禁止した場合は、ステップＳ１１〜Ｓ１６を実行する。すなわち、まず第１ユーザーの次に入力手段４を操作したユーザー（以下「第２ユーザー」という。）によって入力手段４に入力され、この後ＣＰＵ５に入力された入力情報すなわち操作信号を読み込む（ステップＳ１１）。
【００４７】
続いて、第２ユーザーの操作信号が、第１ユーザーの識別信号と同一であるか否か、すなわちタッチ式入力手段からの信号であるか否かを判定する（ステップＳ１２）。ここで、第２ユーザーの操作信号がタッチ式入力手段からの信号であると判定した場合は（ＹＥＳ）、前記のステップＳ４又はＳ８でタッチ式入力手段から第２画面への信号入力が禁止されているので、第２画面の入力手段４としてタッチ式入力手段以外の入力手段、すなわち音声式入力手段又はポインティング式入力手段のみを採用ないしは設定することができるようにする。ここで第２画面上に、タッチ式入力手段から第２画面への信号入力が禁止されている（操作不可能である）旨を、警告を出すなどしてユーザーに報知するようにしてもよい。なお、このような報知を行わなくてもよいのはもちろんである。
【００４８】
ステップＳ１２で第２ユーザーの操作信号がタッチ式入力手段からの信号でないと判定した場合は（ＮＯ）、操作信号が音声式入力信号であるかそれともポインティング入力信号であるかを判定する（ステップＳ１４）。ここで、操作信号が音声式入力信号であると判定した場合は、第２画面のための入力手段を音声式入力手段に確定する（ステップＳ１５）。他方、操作信号がポインティング式入力信号であると判定した場合は、第２画面のための入力手段をポインティング式入力手段に確定する（ステップＳ１６）。つまり、第２ユーザーからの入力情報すなわち操作信号がタッチ式入力手段以外の入力手段からの信号であれば、第２ユーザーの入力操作に従ってそのまま操作処理を行う。なお、このような制御は単なる例示であるので、これに代えて例えば第２画面の入力手段を決定するまで操作処理を無効にするなどといった処理を行ってもよい。
【００４９】
ステップＳ５又はＳ９で、第１画面の入力手段を音声式入力手段に確定する一方、第２画面の入力手段として音声式入力手段を採用ないしは設定することを禁止した場合は、ステップＳ１７〜Ｓ２２を実行する。すなわち、まず第２ユーザーによって入力手段４に入力され、この後ＣＰＵ５に入力された入力情報すなわち操作信号を読み込む（ステップＳ１７）。
【００５０】
続いて、第２ユーザーの操作信号が識別信号と同一であるか否か、すなわち音声式入力手段からの信号であるか否かを判定する（ステップＳ１８）。ここで、第２ユーザーの操作信号が音声入力手段からの信号であると判定した場合は（ＹＥＳ）、前記のステップＳ５又はＳ９で音声式入力手段から第２画面への信号入力が禁止されているので、第２画面の入力手段４として音声式入力手段以外の入力手段、すなわちタッチ入力手段又はポインティング式入力手段のみを採用ないしは設定することができるようにする。ここで第２画面上に、音声式入力手段から第２画面への信号入力が禁止されている（操作不可能である）旨を、警告を出すなどしてユーザーに報知するようにしてもよい。
【００５１】
ステップＳ１８で第２ユーザーの操作信号が音声式入力手段からの信号でないと判定した場合は（ＮＯ）、操作信号がタッチ式入力信号であるかそれともポインティング入力信号であるかを判定する（ステップＳ２０）。ここで、操作信号がタッチ入力信号であると判定した場合は、第２画面のための入力手段をタッチ式入力手段に確定する（ステップＳ２１）。他方、操作信号がポインティング式入力信号であると判定した場合は、第２画面のための入力手段をポインティング式入力手段に確定する（ステップＳ２２）。つまり、第２ユーザーからの入力情報すなわち操作信号が音声式入力手段以外の入力手段からの信号であれば、第２ユーザーの入力操作に従ってそのまま操作処理を行う。なお、このような制御は単なる例示であるので、これに代えて例えば第２画面の入力手段を決定するまで操作処理を無効にするなどといった処理を行ってもよい。
【００５２】
ステップＳ６又はＳ１０で、第１画面の入力手段をポインティング式入力手段に確定する一方、第２画面の入力手段としてポインティング式入力手段を採用ないしは設定することを禁止した場合は、ステップＳ２３〜Ｓ２８を実行する。すなわち、まず第２ユーザーによって入力手段４に入力され、この後ＣＰＵ５に入力された入力情報すなわち操作信号を読み込む（ステップＳ２３）。
【００５３】
続いて、第２ユーザーの操作信号が識別信号と同一であるか否か、すなわちポインティング式入力手段からの信号であるか否かを判定する（ステップＳ２４）。ここで、第２ユーザーの操作信号がポインティング入力手段からの信号であると判定した場合（ＹＥＳ）、前記のステップＳ６又はＳ１０でポインティング式入力手段から第２画面への信号入力が禁止されているので、第２画面の入力手段４としてポインティング式入力手段以外の入力手段、すなわちタッチ入力手段又は音声式入力手段のみを採用ないしは設定することができるようにする。ここで第２画面上に、ポインティング式入力手段から第２画面への信号入力が禁止されている（操作不可能である）旨を、警告を出すなどしてユーザーに報知するようにしてもよい。
【００５４】
ステップＳ２４で第２ユーザーの操作信号がポインティング式入力手段からの信号でないと判定した場合は（ＮＯ）、操作信号がタッチ式入力信号であるかそれとも音声式入力信号であるかを判定する（ステップＳ２６）。ここで、操作信号がタッチ入力信号であると判定した場合は、第２画面のための入力手段をタッチ式入力手段に確定する（ステップＳ２７）。他方、操作信号が音声式入力信号であると判定した場合は、第２画面のための入力手段を音声式入力手段に確定する（ステップＳ２８）。つまり、第２ユーザーからの入力情報すなわち操作信号がポインティング式入力手段以外の入力手段からの信号であれば、第２ユーザーの入力操作に従ってそのまま操作処理を行う。なお、このような制御は単なる例示であるので、これに代えて例えば第２画面の入力手段を決定するまで操作処理を無効にするなどといった処理を行ってもよい。
【００５５】
以上、本発明に係る画像形成装置１によれば、複式画面表示を行うことができる液晶表示パネル２の一方の視野角方向側の画面をその視聴者が入力手段４を介して操作したときに、該入力手段４が誤って他方の視野角方向側の画面に作用を及ぼすのを有効に防止することができる。とくに、液晶表示パネル２の一方の視野角方向に対応する画面のタッチ操作を行ったときに、他方の視野角方向に対応する画面の操作ボタンが反応して液晶表示パネル２に誤動作が発生するのを有効に防止することができる。
【符号の説明】
【００５６】
１  画像形成装置、２  液晶表示パネル、３  制御手段、４  入力手段、５  ＣＰＵ、６  第１液晶表示制御部、７  第１液晶表示制御部、８  タッチパネル、９  プッシュボタン部、１０  可動スイッチ、１１  マウス、１２  キーボード、１３  第１マイクロフォン、１４  第２マイクロフォン、１５  画像、１６  画像、１７  画像、２０Ａ  第１切替ボタン、２０Ｂ  第２切替ボタン、２１  切替えアイコン、２２  切替えアイコン。
【図１】
2010218348.tif 000003
【図２】
2010218348.tif 000004
【図３】
2010218348.tif 000005
【図４】
2010218348.tif 000006
【図５】
2010218348.tif 000007
【図６】
2010218348.tif 000008
【図７】
2010218348.tif 000009
【図８】
2010218348.tif 000010
【図９】
2010218348.tif 000011
【図１０】
2010218348.tif 000012
【図１１】
2010218348.tif 000013
【図１２】
2010218348.tif 000014